(57)【要約】【課題】  所望の定型文を容易に選択できる通信端末装置を実現する。【解決手段】  朝、昼および夜に区分けされた各時間帯に対応した定型文選択画面データをメモリ１６に登録しておく。各定型文選択画面データには、それぞれ対応する時間帯で頻繁に使用される各種定型文が含まれる。定型文入力にてメール作成する時刻が朝の場合には時間帯１定型文選択画面データを、昼の場合には時間帯２定型文選択画面データを、夜の場合には時間帯３定型文選択画面データを選択して画面に表示する。これによりメール作成時刻に対応した時間帯に使われる挨拶や慣用句など使用頻度の高い定型文が一覧表示され、その内から所用の定型文を選択する為、所望の定型文を容易に選択できる。【選択図】  図１１
2005107640.tif 000002
【特許請求の範囲】
【請求項１】
１日を複数の時間帯に区分けし、区分けされた各時間帯毎に使用頻度の高い定型文が複数登録された定型文選択画面データを記憶する記憶手段と、
メール作成時刻に対応した時間帯の定型文選択画面データを前記記憶手段から読み出して定型文選択画面を表示する表示手段と、
前記表示手段により表示され、メール作成時刻に対応した時間帯で使用頻度の高い定型文が複数登録される定型文選択画面から所用の定型文を選択してメール作成するメール作成手段と
を具備することを特徴とする通信端末装置。
【請求項２】
朝、昼および夜に区分けされた各時間帯毎に使用頻度の高い定型文が複数登録された定型文選択画面データを記憶する記憶手段と、
メール作成時刻に対応した時間帯の定型文選択画面データを選択する選択手段と、
前記選択手段により選択された定型文選択画面データを前記記憶手段から読み出してメール作成時刻に対応した時間帯で使用頻度の高い定型文を画面に一覧表示する表示手段と、
前記表示手段により画面に一覧表示された定型文の内から選択した定型文を入力してメール作成するメール作成手段と
を具備することを特徴とする通信端末装置。
【請求項３】
メール宛先毎に使用頻度の高い定型文が複数登録された定型文選択画面データを記憶する記憶手段と、
メール宛先に対応した定型文選択画面データを選択する選択手段と、
前記選択手段により選択された定型文選択画面データを前記記憶手段から読み出してメール宛先に対応した使用頻度の高い定型文を画面に一覧表示する表示手段と、
前記表示手段により画面に一覧表示された定型文の内から選択した定型文を入力してメール作成するメール作成手段と
を具備することを特徴とする通信端末装置。
【請求項４】
１日を複数の時間帯に区分けし、区分けされた各時間帯毎に使用頻度の高い定型文が複数登録された定型文選択画面データを記憶しておき、メール作成時刻に対応した時間帯の定型文選択画面データを読み出して定型文選択画面を表示する表示ステップと、
前記表示ステップにて表示され、メール作成時刻に対応した時間帯で使用頻度の高い定型文が複数登録される定型文選択画面から所用の定型文を選択してメール作成するメール作成ステップと
をコンピュータで実行させることを特徴とする通信端末処理プログラム。
【請求項５】
朝、昼および夜に区分けされた各時間帯毎に使用頻度の高い定型文が複数登録された定型文選択画面データを記憶しておき、メール作成時刻に対応した時間帯の定型文選択画面データを選択する選択ステップと、
前記選択ステップにて選択された定型文選択画面データを読み出してメール作成時刻に対応した時間帯で使用頻度の高い定型文を画面に一覧表示する表示ステップと、
前記表示ステップにて画面に一覧表示された定型文の内から選択した定型文を入力してメール作成するメール作成ステップと
をコンピュータで実行させることを特徴とする通信端末処理プログラム。
【請求項６】
メール宛先毎に使用頻度の高い定型文が複数登録された定型文選択画面データを記憶しておき、メール宛先に対応した定型文選択画面データを選択する選択ステップと、
前記選択ステップにて選択された定型文選択画面データを読み出してメール宛先に対応した使用頻度の高い定型文を画面に一覧表示する表示ステップと、
前記表示ステップにて画面に一覧表示された定型文の内から選択した定型文を入力してメール作成するメール作成ステップと
をコンピュータで実行させることを特徴とする通信端末処理プログラム。
【発明の詳細な説明】
【技術分野】
【０００１】
本発明は、メールを作成して送受信する機能を備えた通信端末装置および通信端末処理プログラムに関する。
【背景技術】
【０００２】
携帯電話に代表される通信端末装置では、通話機能の他にメールを作成して送受信する機能を具備する場合が多い。例えば特許文献１には、予め定型文と送信先メールアドレスとを対応付けて記憶しておき、特定キーの操作に応じて定型文を選択すると、その選択した定型文を対応する送信先メールアドレスにメール送信する装置が開示されている。
【０００３】
【特許文献１】特開２００３−９９３６８号公報
【発明の開示】
【発明が解決しようとする課題】
【０００４】
ところで、上記特許文献１に開示の通信端末装置では、数多くの定型文が登録されている場合にそれらの内から所望の定型文を選択しようとすると、最初から順に一つ一つ定型文を見ながら探し出して行かねばならず、その操作が極めて煩わしい、という問題がある。
そこで本発明は、このような事情に鑑みてなされたもので、所望の定型文を容易に選択することができる通信端末装置および通信端末処理プログラムを提供することを目的としている。
【課題を解決するための手段】
【０００５】
上記目的を達成するため、請求項１に記載の発明では、１日を複数の時間帯に区分けし、区分けされた各時間帯毎に使用頻度の高い定型文が複数登録された定型文選択画面データを記憶する記憶手段と、メール作成時刻に対応した時間帯の定型文選択画面データを前記記憶手段から読み出して定型文選択画面を表示する表示手段と、前記表示手段により表示され、メール作成時刻に対応した時間帯で使用頻度の高い定型文が複数登録される定型文選択画面から所用の定型文を選択してメール作成するメール作成手段とを具備することを特徴とする。
【０００６】
請求項２に記載の発明では、朝、昼および夜に区分けされた各時間帯毎に使用頻度の高い定型文が複数登録された定型文選択画面データを記憶する記憶手段と、メール作成時刻に対応した時間帯の定型文選択画面データを選択する選択手段と、前記選択手段により選択された定型文選択画面データを前記記憶手段から読み出してメール作成時刻に対応した時間帯で使用頻度の高い定型文を画面に一覧表示する表示手段と、前記表示手段により画面に一覧表示された定型文の内から選択した定型文を入力してメール作成するメール作成手段とを具備することを特徴とする。
【０００７】
請求項３に記載の発明では、メール宛先毎に使用頻度の高い定型文が複数登録された定型文選択画面データを記憶する記憶手段と、メール宛先に対応した定型文選択画面データを選択する選択手段と、前記選択手段により選択された定型文選択画面データを前記記憶手段から読み出してメール宛先に対応した使用頻度の高い定型文を画面に一覧表示する表示手段と、前記表示手段により画面に一覧表示された定型文の内から選択した定型文を入力してメール作成するメール作成手段とを具備することを特徴とする。
【０００８】
請求項４に記載の発明では、１日を複数の時間帯に区分けし、区分けされた各時間帯毎に使用頻度の高い定型文が複数登録された定型文選択画面データを記憶しておき、メール作成時刻に対応した時間帯の定型文選択画面データを読み出して定型文選択画面を表示する表示ステップと、前記表示ステップにて表示され、メール作成時刻に対応した時間帯で使用頻度の高い定型文が複数登録される定型文選択画面から所用の定型文を選択してメール作成するメール作成ステップとをコンピュータで実行させることを特徴とする。
【０００９】
請求項５に記載の発明では、朝、昼および夜に区分けされた各時間帯毎に使用頻度の高い定型文が複数登録された定型文選択画面データを記憶しておき、メール作成時刻に対応した時間帯の定型文選択画面データを選択する選択ステップと、前記選択ステップにて選択された定型文選択画面データを読み出してメール作成時刻に対応した時間帯で使用頻度の高い定型文を画面に一覧表示する表示ステップと、前記表示ステップにて画面に一覧表示された定型文の内から選択した定型文を入力してメール作成するメール作成ステップとをコンピュータで実行させることを特徴とする。
【００１０】
請求項６に記載の発明では、メール宛先毎に使用頻度の高い定型文が複数登録された定型文選択画面データを記憶しておき、メール宛先に対応した定型文選択画面データを選択する選択ステップと、前記選択ステップにて選択された定型文選択画面データを読み出してメール宛先に対応した使用頻度の高い定型文を画面に一覧表示する表示ステップと、前記表示ステップにて画面に一覧表示された定型文の内から選択した定型文を入力してメール作成するメール作成ステップとをコンピュータで実行させることを特徴とする。
【発明の効果】
【００１１】
請求項１，４に記載の発明によれば、１日を複数の時間帯に区分けし、区分けされた各時間帯毎に使用頻度の高い定型文が複数登録された定型文選択画面データを記憶しておき、メール作成時刻に対応した時間帯の定型文選択画面データを読み出して定型文選択画面を表示すると、メール作成時刻に対応した時間帯で使用頻度の高い定型文が複数登録される定型文選択画面から所用の定型文を選択してメール作成するので、所望の定型文を容易に選択できる。
【００１２】
請求項２，５に記載の発明によれば、朝、昼および夜に区分けされた各時間帯毎に使用頻度の高い定型文が複数登録された定型文選択画面データを記憶しておき、メール作成時刻に対応した時間帯の定型文選択画面データを選択して、メール作成時刻に対応した時間帯で使用頻度の高い定型文を一覧表示する画面として表示し、その一覧表示された定型文の内から選択した定型文を入力してメール作成するので、所望の定型文を容易に選択できる。
【００１３】
請求項３，６に記載の発明では、メール宛先毎に使用頻度の高い定型文が複数登録された定型文選択画面データを記憶しておき、メール宛先に対応した定型文選択画面データを選択して、メール宛先に対応した使用頻度の高い定型文を一覧表示する画面として表示し、その一覧表示された定型文の内から選択した定型文を入力してメール作成するので、所望の定型文を容易に選択できる。
【発明を実施するための最良の形態】
【００１４】
以下、図面を参照して本発明の実施の一形態による携帯電話について説明する。
Ａ．構成
図１は実施の一形態である携帯電話の構成を示すブロック図である。まず、機構的な構成について説明する。携帯電話１は折畳み開閉タイプの本体構造を有し、その本体ケース（図示せず）には、送受信用のアンテナ２、音声発生用のスピーカ３、カラー液晶パネル等から構成される表示部４、スイッチ入力部５、音声入力用のマイク６、着脱自在な記憶媒体でデータの読み出しおよび書き込みが可能なメモリカード７、画像を撮像するカメラ８、着信通知するスピーカ９および振動によって着信通知するバイブレータ１０が設けられている。また、本体ケースは、図示していないが、折畳まれたクローズ状態で表示部４のバックライトをオフし、広げられたオープン状態でバックライトをオンさせる折畳みスイッチを有する。
【００１５】
スイッチ入力部５は、パワーオンオフする電源スイッチ、通話開始／回線断時に操作されるオフフック／オンフックスイッチの他、ダイヤルスイッチと兼用の文字入力スイッチ、表示内容を消去させるクリアスイッチ、アイテム選択用のカーソルスイッチ、カーソルスイッチで選択されたアイテムを決定する決定スイッチ、メール作成開始を指示するメールスイッチ、メール作成あるいは編集を指示する編集スイッチ、定型文選択を指示する定型文選択スイッチおよびメール送信を指示する送信スイッチ等が設けられている。
【００１６】
次に、電気的な構成について説明する。無線送受信部１１は、アンテナ２を介して受信した高周波信号を増幅して次段の無線信号処理部１２に出力する一方、無線信号処理部１２から出力される送信信号を高周波増幅してアンテナ２から輻射する。無線信号処理部１２は、無線送受信部１１によって増幅された高周波信号を復調する一方、制御部１３から供給される送信データを変調した送信信号を発生する。制御部１３は、システムバスを介してコマンドおよびデータの授受を行ってこの装置全体を制御する。本発明の要旨に係わる制御部１３の動作については追って述べる。加入者情報記憶部１４は、アドレス帳エリア、着信履歴エリア、発信履歴エリアなどで構成されている。システムＲＯＭ１５は、制御部１３によって実行される通信制御処理のプログラム、合成音声データ、種々の初期データなどを記憶している。なお、ここで言う通信制御処理のプログラムとは、後述するメインルーチン、着信割込処理、メール着信割込処理、折畳みスイッチ処理、新規作成処理および文字入力処理を含む。
【００１７】
メモリ１６は、ワーク領域、メール領域、定型文選択画面領域などを備える。メモリ１６のワーク領域には制御部１３が実行する各種処理で使用するレジスタ・フラグデータが一時記憶される。メモリ１６のメール領域は、新規作成エリア、受信メールを保存する受信ボックスおよび送信済みメールを保存する送信ボックスを有する。新規作成エリアには、新規作成メールの宛先、件名および本文をそれぞれ保存する領域（後述の宛先エリア、件名エリアおよび本文エリアに該当）が設けられている。
定型文選択画面領域には、朝、昼および夜に区分けされた各時間帯に対応した定型文選択画面データが登録される。定型文選択画面データは新規メールを作成する際の定型文入力時に参照される定型文選択画面として表示部４に表示するためのデータである。朝、昼および夜の各時間帯に区分けされた各定型文選択画面データには、それぞれ対応する時間帯で頻繁に使用される各種定型文が登録される。こうした定型文選択画面データが意図するところについては追って述べる。
【００１８】
音声信号処理部１７は、通話中の音声データや合成音声データを音声信号にＤ／Ａ変換してスピーカ３から発音させたり、マイク６から出力される音声信号を音声データにＡ／Ｄ変換して制御部１３に入力したりする。ドライバ１８は、カメラ８のＬＥＤ８１、着信通知用のスピーカ９およびバイブレータ１０を駆動する。ドライバ１９は、制御部１３からの指示に従い表示部４を表示駆動する。ドライバ２０は、制御部１３からの指示に従いメモリカード７に対してデータをリードライトする。メモリカード７は、カメラ８で撮像された画像データ、外部装置から入力した画像データや曲データを記憶可能な容量を備える。パソコンＩ／Ｆ（インタフェース）２１は、ＵＳＢケーブルなどのシリアルインタフェースで接続されるパソコン等の外部機器との間でデータ授受する。
【００１９】
Ｂ．動作
次に、上記構成による携帯電話１の動作として、制御部１３が実行するメインルーチン、着信割込処理、メール着信割込処理、折畳みスイッチ処理、新規作成処理および文字入力処理の各動作を図２〜図１５を参照して説明する。
【００２０】
（１）メインルーチンの動作
携帯電話１の電源スイッチが操作されてパワーオンされると、制御部１３は図２〜図３に図示するメインルーチンを実行して図２に図示するステップＳＡ１に処理を進め、携帯電話１の各部を初期化するイニシャライズを行う。イニシャライズが完了すると、制御部１３はメモリ１６に登録される待ち受け画像データもしくはシステムＲＯＭ１５にファクトリープリセットされる待ち受け画像データを読み出し、これに基づき表示部４に待受画面を表示する。そして、ステップＳＡ３以降では、通話開始を指示するオフフックスイッチ、回線断を指示するオンフックスイッチおよびメール作成開始を指示するメールスイッチの操作に応じた処理を実行する。以下、オフフックスイッチがオン操作された場合、オンフックスイッチがオン操作された場合およびメールスイッチがオン操作された場合に分けて動作説明する。
【００２１】
ａ．オフフックスイッチがオン操作された場合
ユーザが通話を開始すべくオフフックスイッチをオン操作すると、ステップＳＡ３の判断結果が「ＹＥＳ」になり、ステップＳＡ４に進み、表示部４に表示される画面を待受画面から番号入力画面に変更する。番号入力画面において発信する電話番号を入力し終えると、ステップＳＡ５の判断結果が「ＹＥＳ」となり、ステップＳＡ７〜ＳＡ８にて、入力された電話番号に基づき発信および呼出報知を行う。呼出報知に応じて着呼側がオフフックして回線が接続されると、ステップＳＡ９の判断結果が「ＹＥＳ」になり、ステップＳＡ１０に進む。ステップＳＡ１０では、通話処理を実行する。
なお、番号入力画面が表示されている状態でクリアスイッチがオン操作された場合には、ステップＳＡ６の判断結果が「ＹＥＳ」となり、ステップＳＡ２に処理を戻して待受画面表示状態に復帰する。
【００２２】
ｂ．オンフックスイッチがオン操作された場合
上記ステップＳＡ１０の通話処理中にユーザがオンフックスイッチをオン操作したとする。そうすると、ステップＳＡ１１の判断結果が「ＹＥＳ」になり、ステップＳＡ１２に進み、回線を切る終話処理を実行した後、ステップＳＡ２に処理を戻して待受画面表示状態に復帰する。
【００２３】
ｃ．メールスイッチがオン操作された場合
待受画面表示状態でユーザがメールスイッチをオン操作すると、図３に示すステップＳＡ１３の判断結果が「ＹＥＳ」になり、ステップＳＡ１４に進む。ステップＳＡ１４に進むと、制御部１３は表示部４にメールリスト画面を表示する。メールリスト画面とは、図示していないが、例えば「新規作成」、「受信ボックス」および「送信ボックス」等、メール処理に係わるアイテムを一覧表示する画面である。次いで、ステップＳＡ１５に進むと、メールリスト画面におけるデフォルト位置（例えば画面最上位の行）のアイテムにカーソルをフォーカスさせる。
【００２４】
続いて、ステップＳＡ１６では、カーソルスイッチのオン操作の有無を判断する。カーソルスイッチがオン操作されると、判断結果は「ＹＥＳ」になり、次のステップＳＡ１７に進み、カーソルスイッチのオン操作に応じてフォーカス位置を移動させた後、ステップＳＡ１８に処理を進める。カーソルスイッチがオン操作されない場合には、上記ステップＳＡ１６の判断結果が「ＮＯ」になり、ステップＳＡ１８に進む。ステップＳＡ１８〜ＳＡ１９では、決定スイッチおよびクリアスイッチのオン操作の有無を判断する。いずれのスイッチもオン操作されなければ、ステップＳＡ１８〜ＳＡ１９の各判断結果は「ＮＯ」となり、上述のステップＳＡ１６に処理を戻す。クリアスイッチがオン操作された場合には、ステップＳＡ１９の判断結果が「ＹＥＳ」になり、図２に図示するステップＳＡ２に処理を戻して待受画面表示状態に復帰する。
【００２５】
一方、決定スイッチがオン操作されると、ステップＳＡ１８の判断結果が「ＹＥＳ」になり、ステップＳＡ２０に進む。ステップＳＡ２０では、決定スイッチがオン操作された時にフォーカスされるアイテムが、メールを新規作成する「新規入力」であるか否かを判断する。「新規入力」以外であると、ここでの判断結果は「ＮＯ」になり、ステップＳＡ２１に進み、「新規入力」以外のその他のアイテムに対応したメール処理を実行した後、上述したステップＳＡ１４に処理を戻してメールリスト画面表示状態に復帰する。これに対し、フォーカス位置が「新規入力」であると、上記ステップＳＡ２０の判断結果が「ＹＥＳ」になり、ステップＳＡ２２を介して本発明の要旨に係わる新規入力処理（後述する）を実行した後、ステップＳＡ１４に処理を戻してメールリスト画面表示状態に復帰する。
【００２６】
（２）着信割込処理の動作
次に、図４を参照して着信割込処理の動作を説明する。メインルーチン実行中に着信があると、制御部１３は図４のステップＳＢ１〜ＳＢ２を実行し、オフフックスイッチがオン操作されるまで着信報知する。そして、ユーザがオフフックスイッチをオン操作すると、ステップＳＢ２の判断結果が「ＹＥＳ」となり、ステップＳＢ３に進む。ステップＳＢ３〜ＳＢ４では、オンフックスイッチがオン操作されるまで通話処理を実行する。そして、ユーザがオンフックスイッチをオン操作すると、ステップＳＢ４の判断結果が「ＹＥＳ」となり、ステップＳＢ５に進み、終話処理を終えた後に本処理を完了させる。
【００２７】
（３）メール着信割込処理の動作
次に、図５を参照してメール着信割込処理の動作を説明する。メインルーチン実行中にメール着信があると、制御部１３は図５のステップＳＣ１に処理を進め、ネットワーク側から送出されてくる受信メールを、メモリ１６のメール領域に設けられる受信ボックスにストアする。次いで、ステップＳＣ２〜ＳＣ３では、一定時間経過するまでの間、メール着信報知を行う。そして、メール着信報知が一定時間行われると、ステップＳＣ３の判断結果が「ＹＥＳ」になり、本処理を完了させる。
【００２８】
（４）折畳みスイッチ処理の動作
次に、図６を参照して折畳みスイッチ処理の動作を説明する。前述したように、折畳み開閉タイプの本体構造を有する携帯電話１は折畳みスイッチを具備しており、開閉操作に応じた折畳みスイッチイベントが発生すると、制御部１３は図６のステップＳＤ１に進み、発生した折畳みスイッチイベントがオープン状態を表す開イベントであるか否かを判断する。開イベントであると、判断結果は「ＹＥＳ」になり、ステップＳＤ２に進み、表示部４のバックライトを点灯して本処理を終える。一方、折畳まれたクローズ状態になると、ステップＳＤ１の判断結果は「ＮＯ」になり、ステップＳＤ３に進み、表示部４のバックライトを消灯して本処理を終える。
【００２９】
（５）新規作成処理の動作
次に、図７〜図９を参照して新規作成処理の動作を説明する。前述したメインルーチンのステップＳＡ２２（図３参照）を介して本処理が実行されると、制御部１３は図７に示すステップＳＥ１に進み、表示部４に新規作成画面ＳＳＧを画面表示する。
ここで、図９に図示する一例を参照して新規作成画面ＳＳＧの構成を説明する。新規作成画面ＳＳＧは、状態表示領域Ａ１、作成領域Ａ２および操作ガイド表示領域Ａ３から構成される。状態表示領域Ａ１には電波状態や電池残量などが状態表示される。作成領域Ａ２には、新規に作成するメールのアイテム（宛先、件名および本文）の入力内容が表示される。具体的には、各アイテム（宛先、件名および本文）にそれぞれ入力される文字データがメモリ１６の宛先エリア、件名エリアおよび本文エリアに格納され、それら各エリアの文字データが表示されるようになっている。操作ガイド表示領域Ａ３には機能対応キーが案内表示される。つまり、図９に図示する一例の場合、「送信」および「編集」と表示されている箇所に対応して配設される機能キースイッチが送信スイッチ、編集スイッチに相当することを案内表示している。
【００３０】
さて、こうした新規作成画面ＳＳＧが表示部４に画面表示されると、制御部１３はステップＳＥ２に処理を進め、作成領域Ａ２中でデフォルトのアイテム（例えば宛先）にフォーカス（カーソル設定）する。次いで、ステップＳＥ３以降では、新規メールを作成するよう行われるスイッチ操作（文字入力操作を含む）に対応した処理を実行する。以下では、実際のメール作成操作に即して「宛先入力」、「件名入力」、「本文入力」、「作成キャンセル」、「メール送信」および「その他の処理」を行う場合の各動作について説明する。
【００３１】
ａ．宛先入力
作成領域Ａ２中のアイテム「宛先」がフォーカスされている状態で編集スイッチをオン操作すると、ステップＳＥ５の判断結果が「ＹＥＳ」になり、図８に図示するステップＳＥ７に進む。ステップＳＥ７では、フォーカス位置が「宛先」であるか否かを判断する。この場合、フォーカス位置は「宛先」なので、判断結果が「ＹＥＳ」になり、ステップＳＥ８に進み、宛先入力処理を実行する。宛先入力処理では、例えば直接文字入力されるメールアドレスを宛先エリアに格納したり、あるいはアドレス帳や送信履歴から宛先のメールアドレスを引用して宛先エリアに入力したりする処理が行われる。そして、宛先入力処理が完了すると、ステップＳＥ１に処理を戻して新規作成画面表示状態に復帰する。
【００３２】
ｂ．件名入力
作成領域Ａ２中のアイテム「件名」をフォーカスすべくカーソルスイッチをオン操作すると、図７に示すステップＳＥ３の判断結果が「ＹＥＳ」となり、ステップＳＥ４に進み、フォーカス位置を移動させる。そして、アイテム「件名」がフォーカスされている状態で編集スイッチをオン操作すると、図８に示すステップＳＥ９の判断結果が「ＹＥＳ」になり、ステップＳＥ１０を介して文字入力処理（後述する）を実行する。次いで、ステップＳＥ１１では、文字入力処理にて入力された文字データを件名エリアに格納した後、ステップＳＥ１に処理を戻して新規作成画面表示状態に復帰する。
【００３３】
ｃ．本文入力
作成領域Ａ２中のアイテム「本文」をフォーカスすべくカーソルスイッチをオン操作すると、図７に示すステップＳＥ３の判断結果が「ＹＥＳ」となり、ステップＳＥ４に進み、フォーカス位置を移動させる。そして、アイテム「本文」がフォーカスされている状態で編集スイッチをオン操作すると、図８に示すステップＳＥ１２の判断結果が「ＹＥＳ」になり、ステップＳＥ１３を介して文字入力処理（後述する）を実行する。次いで、ステップＳＥ１４では、文字入力処理にて入力された文字データを本文エリアに格納した後、ステップＳＥ１に処理を戻して新規作成画面表示状態に復帰する。
【００３４】
ｄ．作成キャンセル
新規作成をキャンセルすべく、クリアスイッチをオン操作したとする。そうすると、図８に示すステップＳＥ６の判断結果が「ＹＥＳ」となり、本処理を完了させる。本処理が完了すると、前述したメインルーチンのステップＳＡ１４（図３参照）に処理を戻してメールリスト画面表示状態に復帰する。
【００３５】
ｅ．メール送信
送信スイッチをオン操作すると、図８に示すステップＳＥ１６の判断結果が「ＹＥＳ」になり、ステップＳＥ１７に進む。ステップＳＥ１７では、宛先入力の有無を判断する。宛先が未入力であると、判断結果は「ＮＯ」になり、ステップＳＥ１９に進み、一定期間の間、宛先未入力であることを表示部４に警告表示した後、ステップＳＥ８に進み、直接文字入力されるメールアドレスを宛先エリアに格納したり、あるいはアドレス帳や送信履歴から宛先のメールアドレスを引用して宛先エリアに入力したりする宛先入力処理を実行する。そして、宛先入力処理が完了すると、ステップＳＥ１に処理を戻して新規作成画面表示状態に復帰する。
一方、宛先入力済みであると、上記ステップＳＥ１７の判断結果が「ＹＥＳ」になり、ステップＳＥ１８に進み、メモリ１６の宛先エリア、件名エリアおよび本文エリアに格納された文字データから形成されたメールを送信する送信処理を実行して本処理を完了させる。
【００３６】
ｆ．その他の処理
図９に図示した新規作成画面ＳＳＧでは、作成領域Ａ２に添付データを指定するアイテムが設けられていないが、例えばカメラ８にて撮像して得た画像データをメール添付させるような場合には、添付データを指定するアイテムを作成領域Ａ２に設ける。そして、添付データを指定するアイテムをフォーカスするようカーソルスイッチ操作してから編集スイッチをオン操作すると、図８に示すステップＳＥ１２の判断結果が「ＮＯ」となり、ステップＳＥ１５に進み、メモリ１６もしくはメモリカード７に格納されている各種画像データ群の内からメール添付する画像データを選択する、その他の処理を実行する。この後、ステップＳＥ１に処理を戻して新規作成画面表示状態に復帰する。
【００３７】
（６）文字入力処理の動作
次に、図１０〜図１５を参照して文字入力処理の動作を説明する。上述した新規作成処理（図８参照）のステップＳＥ１０またはステップＳＥ１３のいずれかを経て本処理が実行されると、制御部１３は図１０に示すステップＳＦ１に処理を進め、表示部４に文字入力画面ＭＮＧを画面表示する。
ここで、図１２に図示する一例を参照して文字入力画面ＭＮＧの構成を説明する。文字入力画面ＭＮＧは、状態表示領域Ｂ１、文字入力領域Ｂ２および操作ガイド表示領域Ｂ３から構成される。状態表示領域Ｂ１には電波状態や電池残量などが状態表示される。文字入力領域Ｂ２には、メモリ１６の本文エリアに入力される文字データが表示される。操作ガイド表示領域Ｂ３には機能対応キーが案内表示される。図１２に図示する一例の場合、「送信」、「ＯＫ」および「定型文選択」と表示されている箇所に各々対応して配設される機能キースイッチが送信スイッチ、ＯＫスイッチおよび定型文選択スイッチに相当することを案内表示するようになっている。
【００３８】
文字入力画面ＭＮＧが表示部４に画面表示されると、制御部１３はステップＳＦ２に処理を進め、文字入力領域Ｂ２の先頭入力位置に入力カーソルを表示する。そして、ステップＳＦ３〜ＳＦ６では、文字入力操作に応じて入力カーソル位置に入力文字を表示させ、確定スイッチのオン操作でその入力を確定してから入力カーソルを１キャラクタ分移動させる。なお、ステップＳＦ３〜ＳＦ６では、説明の簡略化を図るため、文字種切換えや漢字変換する処理を省略しているが、実際には入力する文字種を切換えたり、入力されたかな文字を漢字に変換したりする処理が実行される。そして、文字入力を終えるべくＯＫスイッチがオン操作された場合には、ステップＳＦ７の判断結果が「ＹＥＳ」となり、本処理を完了させる。
【００３９】
さて一方、定型文を用いた文字入力を行う場合には、ユーザが定型文選択スイッチをオン操作する。そうすると、図１１に示すステップＳＦ８の判断結果が「ＹＥＳ」となり、ステップＳＦ９に進む。ステップＳＦ９では、制御部１３が自ら計時する現在時刻を取得する。次いで、ステップＳＦ１０では、現在時刻が「朝」、「昼」および「夜」の何れの範疇にあるかを判断する。
現在時刻が「朝」の場合には、ステップＳＦ１１に進み、メモリ１６の定型文選択画面領域から時間帯１定型文選択画面データを読出し、これに基づき表示部４に時間帯１定型文選択画面を表示する。時間帯１定型文選択画面とは、図１３に図示する一例のように、「おはよう」、「今朝は」、「Ｇｏｏｄ  ｍｏｒｎｉｎｇ」、「起きなさい」あるいは「本日の予定」などのように、朝の時間帯に使われる挨拶や慣用句など使用頻度の高い定型文を一覧表示する画面である。
【００４０】
現在時刻が「昼」の場合には、ステップＳＦ１２に進み、メモリ１６の定型文選択画面領域から時間帯２定型文選択画面データを読出し、これに基づき表示部４に時間帯２定型文選択画面を表示する。時間帯２定型文選択画面とは、図１４に図示する一例のように、「こんにちわ」、「お昼です」、「午後の予定」、「ＰＭ」あるいは「昼食」などのように、昼の時間帯に使われる挨拶や慣用句など使用頻度の高い定型文を一覧表示する画面である。
現在時刻が「夜」の場合には、ステップＳＦ１３に進み、メモリ１６の定型文選択画面領域から時間帯３定型文選択画面データを読出し、これに基づき表示部４に時間帯３定型文選択画面を表示する。時間帯３定型文選択画面とは、図１５に図示する一例のように、「こんばんわ」、「おやすみなさい」、「明日の予定」、「お疲れ様です」あるいは「また明日」などのように、夜の時間帯に使われる挨拶や慣用句など使用頻度の高い定型文を一覧表示する画面である。
【００４１】
次いで、ステップＳＦ１４では、現在時刻に応じて選択された時間帯の定型文選択画面においてデフォルトの定型文（例えば最も頻繁に使われた定型文、あるいは前回選択された定型文）にフォーカス（カーソル設定）する。続いて、ステップＳＦ１５では、カーソルスイッチのオン操作の有無を判断する。そして、オン操作されたならば、判断結果は「ＹＥＳ」になり、ステップＳＦ１６に進み、オン操作に応じてフォーカス位置を移動させた後、ステップＳＦ１７に進む。カーソルスイッチがオン操作されなければ、上記ステップＳＦ１５の判断結果が「ＮＯ」になり、ステップＳＦ１７に進む。ステップＳＦ１７では、決定スイッチのオン操作の有無を判断する。ユーザ所望の定型文がフォーカスされている場合、決定スイッチをオン操作すると、ここでの判断結果が「ＹＥＳ」になり、ステップＳＦ１８に進む。
【００４２】
ステップＳＦ１８では、文字入力画面ＭＮＧの入力カーソル位置に、選択された定型文を入力して表示し、続くステップＳＦ１９では、入力された定型文に続く入力位置に入力カーソルを移動させる。そして、ステップＳＦ２０では、定型文選択画面を消去して図１０に示すステップＳＦ３に処理を戻して文字入力画面表示状態に復帰する。なお、定型文入力をキャンセルする場合には、クリアスイッチをオン操作する。そうすると、図１１に示すステップＳＦ２１の判断結果が「ＹＥＳ」になり、図１０に示すステップＳＦ３に処理を戻して文字入力画面表示状態に復帰する。
【００４３】
以上説明したように、本実施の形態によれば、１日を複数の時間帯に区分けし、区分けされた各時間帯毎に使用頻度の高い定型文を複数登録しておき、定型文を用いたメール作成を行う場合、メール作成時刻が含まれる時間帯で使用頻度の高い定型文の内から所用の定型文を選択するようにしたので、従来のように、登録されている定型文を最初から順番に一つ一つ見ながら探し出す必要が無くなり、所望の定型文を容易に選択することが可能になる。
なお、本実施の形態では、頻繁に使われる定型文を時間帯別に分けて登録するようにしたが、これに替えて、宛先アドレスもしくは宛名毎に使用頻度の高い定型文を登録しておき、定型文を用いたメール作成を行う場合に、その作成メールの宛先アドレスもしくは宛名に対応した、使用頻度の高い定型文の内から所用の定型文を選択する態様にすることも出来、こうした態様としても所望の定型文を容易に選択することができる。
【図面の簡単な説明】
【００４４】
【図１】本発明による実施の一形態の構成を示すブロック図である。
【図２】メインルーチンの動作を示すフローチャートである。
【図３】メインルーチンの動作を示すフローチャートである。
【図４】着信割込処理の動作を示すフローチャートである。
【図５】メール着信割込処理の動作を示すフローチャートである。
【図６】折畳みスイッチ処理の動作を示すフローチャートである。
【図７】新規作成処理の動作を示すフローチャートである。
【図８】新規作成処理の動作を示すフローチャートである。
【図９】新規作成画面ＳＳＧの一例を示す図である。
【図１０】文字入力処理の動作を示すフローチャートである。
【図１１】文字入力処理の動作を示すフローチャートである。
【図１２】文字入力画面ＭＮＧの一例を示す図である。
【図１３】時間帯１定型文選択画面の一例を示す図である。
【図１４】時間帯２定型文選択画面の一例を示す図である。
【図１５】時間帯３定型文選択画面の一例を示す図である。
【符号の説明】
【００４５】
１  携帯電話
２  アンテナ
３  スピーカ
４  表示部
５  キー入力部
６  マイク
７  メモリカード
８  カメラ
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８〜２０  ドライバ
２１  パソコンインタフェース
【図１】
2005107640.tif 000003
【図２】
2005107640.tif 000004
【図３】
2005107640.tif 000005
【図４】
2005107640.tif 000006
【図５】
2005107640.tif 000007
【図６】
2005107640.tif 000008
【図７】
2005107640.tif 000009
【図８】
2005107640.tif 000010
【図９】
2005107640.tif 000011
【図１０】
2005107640.tif 000012
【図１１】
2005107640.tif 000013
【図１２】
2005107640.tif 000014
【図１３】
2005107640.tif 000015
【図１４】
2005107640.tif 000016
【図１５】
2005107640.tif 000017